(57)【要約】【課題】本発明は、インバーターとＣＣＦＬ管の形状と接続方法に工夫を加えることにより、従来の低価格のインバーターとＣＣＦＬ管を使用でき、コストをアップさせることなく液晶テレビを薄くできる。【解決手段】Ｕ字型ＣＣＦＬ管を用いた液晶表示装置のバックライトユニットにおいて、  ＣＣＦＬ管に使用するインバーターをバックライトユニットの一方の側に集約し、インバーターに用いるトランスは横型分離構造タイプ（以下「２in 1タイプトランス」ともいう）を使用し、ＣＣＦＬ管のアノードを巻き線順序＋＋２in 1タイプトランスの電極に接続し、Ｕ字型ＣＣＦＬ管のカソードを巻き線順序−−の２in 1タイプトランス（以下「−−２in 1タイプトランス」ともいう）に接続し、Ｕ字型ＣＣＦＬ管を点灯させるために必要な電圧略１２００ｖｒｍｓと電流略7ｍＡｒｍｓを発生させて、同じ長さの冷陰極管を点灯周波数約３０〜７０ｋｈｚで駆動させる。【選択図】図１
2010049922.tif 000002
【特許請求の範囲】
【請求項１】
Ｕ字型ＣＣＦＬ管を用いた液晶表示装置のバックライトユニットであって、
前記Ｕ字型ＣＣＦＬ管に使用するインバーターは前記バックライトユニットの一方の側に集約し、
前記インバーターに用いるトランスは横型分離構造タイプ（以下「２in 1タイプトランス」ともいう）であり、
前記インバーターに用いる巻き線順序＋＋の２in 1タイプトランス（以下「＋＋２in 1タイプトランス」ともいう）をＵ字型ＣＣＦＬ管の一方の電極に接続し、Ｕ字型ＣＣＦＬ管の他方の電極に巻き線順序−−の２in 1タイプトランス（以下「−−２in 1タイプトランス」ともいう）を接続し、
前記Ｕ字型ＣＣＦＬ管を点灯させるために必要な電圧略１２００ｖｒｍｓと電流略7ｍＡｒｍｓを発生させて、２本の同じ長さの冷陰極管を点灯周波数約３０〜７０ｋｈｚで駆動させることを特徴とする液晶表示装置のバックライトユニット。
【請求項２】
請求項１に記載の液晶表示装置のバックライトユニットにおいて、
前記＋＋２in 1タイプトランスと前記−−２in 1タイプトランスは、前記液晶表示装置の左右または上下の一方の側に２個配置することを特徴とする液晶表示装置のバックライトユニット。
【請求項３】
請求項１および／または請求項２に記載の前記液晶表示装置のバックライトユニットにおいて、
前記Ｕ字型ＣＣＦＬ管はＵ字管のＵ字に曲げられているＵ字部分の谷の先端部分から電極方向である内側の所定の位置において、前記Ｕ字型ＣＣＦＬ管の直線上の形状より、所定の角度だけ曲げ、曲がった方向を曲げた部分が重ならないように互い違いに配置することを特徴とする液晶表示装置のバックライトユニット。
【請求項４】
請求項１および／または請求項２に記載の前記液晶表示装置のバックライトユニットにおいて、
２本の同じ長さの前記Ｕ字型ＣＣＦＬ管のうちの１本を、他方のＵ字型ＣＣＦＬ管のＵ字部分の内側の所定の位置におくために、内側に配置するＵ字型ＣＣＦＬ管のＵ字に曲げられているＵ字部分および直線部分をガラス成形の際に所定の長さに調整し、
外側に配置するＵ字型ＣＣＦＬ管のＵ字に曲げられているＵ字部分および直線部分をガラス成形の際に所定の長さに調整し、
本来は同じ長さの２本のＵ字型ＣＣＦＬ管を重ねることなく同一平面上に設置できることを特徴とする液晶表示装置のバックライトユニット。
【請求項５】
請求項１乃至４のいずれかに記載の前記液晶表示装置のバックライトユニットにおいて、
前記＋＋２in 1タイプトランスと前記−−２in 1タイプトランスを合計した数と、Ｕ字型ＣＣＦＬ管の本数は２の倍数であれば、２以上であってもよいことを特徴とする液晶表示装置のバックライトユニット。
【請求項６】
請求項１乃至５のいずれかに記載の前記液晶表示装置のバックライトユニットにおいて、
ＣＣＦＬ管の形状は、ＣＣＦＬ管の電極が前記Ｕ字型ＣＣＦＬ管の電極の位置と同じ位置に配置された、前記Ｕ字形状以外のリング形状型および／またはＬ字形状型および／またはＣ字形状型であることを特徴とする液晶表示装置のバックライトユニット。
【請求項７】
請求項１乃至６のいずれかに記載の前記液晶表示装置のバックライトユニットを有することを特徴とする液晶表示装置。
【発明の詳細な説明】
【技術分野】
【０００１】
本発明は、液晶表示装置に用いるバックライト装置に関する。
【背景技術】
【０００２】
近年、液晶パネルの需要が急増している。その結果として厳しい低価格競争となり、各社は厳しいコスト削減を余儀なくされている。また液晶テレビにおいても世界規模で通常の薄型テレビから、壁掛け液晶テレビへと移り変わる傾向にあり、薄型化が加速されている。
【０００３】
薄型化を実現するためには、バックライト装置をいかに薄型にするかが重要な課題である。
現在のバックライトの光源は、省電力で高輝度の特徴を有する冷陰極管（以下「CCFL」ともいう）が主である。
【０００４】
【特許文献１】ＷＯ２００４／０１７５０８
【発明の開示】
【発明が解決しようとする課題】
【０００５】
しかしながら、CCFLを点灯させるためには、高電圧（約１２００Ｖｒｍｓ、７ｍＡｒｍｓ)を発生させるインバーターが必要であり、比較的重く、大きさの大きなトランスが必要となる。
【０００６】
図３は従来のトランスとＵ字型ＣＣＦＬ管の接続の概要を示した概略図である。
ＣＣＦＬ管を点灯させ得る電圧は通常、略２０００Ｖであり、使用するトランスには２０００Ｖｒｍｓの耐電圧が必要となってしまう。
【０００７】
図３において、３３４はＣＣＦＬ管のアノードに接続しており、＋１０００Ｖであり、３３６は−１０００ＶとなりＣＣＦＬ管のカソードに接続している。また３４１と３４３はＧＮＤである。
【０００８】
図４は、従来のトランスと直管型ＣＣＦＬ管の接続の概要を示した概略図である。
この場合には、トランスの数が増加し、また各トランスが大きく、重量も増加してしまう。
【０００９】
また、液晶テレビの大型化にはより高性能なインバーターが必要であり、この高性能なインバーターのコストは比較的高くなる。
形状的にもバックライト装置の重量と厚みが、液晶パネルの薄型化にとって障害となっている。
【００１０】
発明者は、インバーターの配置とＵ字型ＣＣＦＬ管の形状と接続方法に工夫を加えることにより、従来の低価格のＵ字型ＣＣＦＬ管とインバータトランスを使用でき、液晶テレビのコスト削減が可能であることに着目した。
【課題を解決するための手段】
【００１１】
請求項１に記載の発明は、Ｕ字型ＣＣＦＬ管と従来のトランスとの配置と接続方法に工夫をくわえるだけで、前記Ｕ字型ＣＣＦＬ管に使用するインバーターを前記バックライトユニットの一方の側に集約できることに着目した。
【００１２】
概略としては、前記インバーターに用いるトランスは横型分離構造タイプ（以下「２in 1タイプトランス」ともいう）とし、
前記インバーターに用いる巻き線順序＋＋の２in 1タイプトランス（以下「＋＋２in 1タイプトランス」ともいう）をＵ字型ＣＣＦＬ管の一方の電極に接続し、Ｕ字型ＣＣＦＬ管の他方の電極に巻き線順序−−の２in 1タイプトランス（以下「−−２in 1タイプトランス」ともいう）を接続し、
前記Ｕ字型ＣＣＦＬ管を点灯させるために必要な電圧略１２００ｖｒｍｓと電流略7ｍＡｒｍｓを発生させて、２本の同じ長さの冷陰極管を点灯周波数約３０〜７０ｋｈｚで駆動させることを特徴とする。
【００１３】
請求項２に記載の発明は、請求項１に記載の液晶表示装置のバックライトユニットにおいて、
前記＋＋２in 1タイプトランスと前記−−２in 1タイプトランスは、前記液晶表示装置の左右または上下の一方の側に２個配置することを特徴とする。
【００１４】
請求項３に記載の発明は、請求項１および／または請求項２に記載の前記液晶表示装置のバックライトユニットにおいて、
前記Ｕ字型ＣＣＦＬ管はＵ字管のＵ字に曲げられているＵ字部分の谷の先端部分から電極方向である内側の所定の位置において、前記Ｕ字型ＣＣＦＬ管の直線上の形状より、所定の角度だけ曲げ、曲がった方向を曲げた部分が重ならないように互い違いに配置することを特徴とする。
【００１５】
請求項４に記載の発明は、請求項１および／または請求項２に記載の前記液晶表示装置のバックライトユニットにおいて、
２本の同じ長さの前記Ｕ字型ＣＣＦＬ管のうちの１本を、他方のＵ字ＣＣＦＬ管のＵ字に曲げられているＵ字部分の内側の所定の位置におくために、内側に配置するＵ字型ＣＣＦＬ管のＵ字に曲げられているＵ字部分および直線部分をガラス成形の際に所定の長さに調整し、
外側に配置するＵ字型ＣＣＦＬ管のＵ字に曲げられているＵ字部分および直線部分をガラス成形の際に所定の長さに調整し、
本来は同じ長さの２本のＵ字ＣＣＦＬ管を重ねることなく設置できることを特徴とする。
【００１６】
請求項５に記載の発明は、請求項１乃至４のいずれかに記載の前記液晶表示装置のバックライトユニットにおいて、
前記＋＋２in 1タイプトランスと前記−−２in 1タイプトランスを合計した数と、Ｕ字型ＣＣＦＬ管の本数は２の倍数であれば、２以上であってもよいことを特徴とする。
【００１７】
請求項６に記載の発明は請求項１乃至５のいずれかに記載の前記液晶表示装置のバックライトユニットにおいて、
ＣＣＦＬ管の形状は、ＣＣＦＬ管の電極が前記Ｕ字型ＣＣＦＬ管の電極の位置と同じ位置に配置された、前記Ｕ字形状以外のリング形状型および／またはＬ字形状型および／またはＣ字形状型であることを特徴とする。
【００１８】
請求項７に記載の発明は、液晶表示装置において、請求項１乃至６のいずれかに記載の前記液晶表示装置のバックライトユニットを有することを特徴とする。
【発明の効果】
【００１９】
本発明に係るバックライトユニットによれば従来の安価なインバーターを利用し、インバーター配置とＵ字型ＣＣＦＬ管の形状と接続方法に工夫を加えることにより、従来の耐圧電圧で低価格のインバーターとＵ字型ＣＣＦＬ管を使用でき、液晶テレビの薄型化とコスト削減が可能となる。
【発明を実施するための最良の形態】
【００２０】
以下、図を参照しつつ、本発明を実施するための形態につき説明する。
【００２１】
図１は本発明の実施の形態１に係る液晶表示装置のバックライトユニットの概要を示すブロック図である。
【００２２】
図１において、１１１は巻き線順序＋＋の横型分離構造タイプ（以下「＋＋２in 1タイプトランス」ともいう）であり、１１２は巻き線順序−−の２in 1タイプトランス（以下「−−２in 1タイプトランス」ともいう）である。１３４には１０００Ｖｍｓ、１３５にも１０００Ｖｍｓの電圧が得られるように前記横型分離構造タイプ（以下「２in 1タイプトランス）を設置、配線する。１４１と１４２はグランド（ＧＮＤ）を意味する。１７５はＣＣＦＬ管のアノードであり、１７８はＣＣＦＬ管のカソードである。
【００２３】
１８０は同じ長さのＵ字型ＣＣＦＬ管を２本設置する場合に、上側に設置するもの（以下「上設置Ｕ字型ＣＣＦＬ管」ともいう）であり、１８７は上設置Ｕ字型ＣＣＦＬ管のうちＵ字形状に曲げられた部位であり、１８６は上設置Ｕ字型ＣＣＦＬ管のうち直線形状の部位であり、１８５はＣＣＦＬ管のアノードであり、１８８はＣＣＦＬ管のカソードである。
【００２４】
１７０は同じ長さのＵ字型ＣＣＦＬ管を２本設置する場合の下側に設置するもの（以下「下設置Ｕ字型ＣＣＦＬ管」ともいう）である。１７７は下設置Ｕ字型ＣＣＦＬ管のうちＵ字形状に曲げられた部位であり、１７６は下設置Ｕ字型ＣＣＦＬ管のうち直線形状の部位である。
【００２５】
図１の(b)は図１の(a)のA-A線の方向から視た側面図である。
【００２６】
１２１は上設置Ｕ字型ＣＣＦＬ管および下設置Ｕ字型ＣＣＦＬ管で上下に湾曲させる位置を示す。
【００２７】
ただし、実際には一方のＵ字型ＣＣＦＬ管を湾曲させて、設置する際に上下を逆にすることで足りるとも考えられる。１２０は上下に湾曲させる位置の関係を示す説明用の線である。
【００２８】
図１のように、＋＋２in 1タイプトランスと−−２in 1タイプトランスにＵ字型ＣＣＦＬ管を設置、接続することにより、既存の低価格トランスを使用することが可能となり、液晶表装置のバックライトユニットの製造コストを低減でき、結果として、液晶パネル、
液晶表示装置の製造コストを低減できる。
【００２９】
図２は本発明の実施の形態２に係る液晶表示装置のバックライトユニットの概要を示すブロック図である。
【００３０】
本発明の実施の形態２に係る液晶表示装置のバックライトユニットの特徴は、本発明の実施の形態１に係る液晶表示装置のバックライトユニットにおいては、通常の形状と大きさのＵ字型ＣＣＦＬ管を所定の位置で、湾曲させているのに対して、本発明の実施の形態２に係る液晶表示装置のバックライトユニットにおいては、通常の形状と大きさの同じ長さの２本のＵ字型ＣＣＦＬ管を、一方のＵ字型ＣＣＦＬ管の形状を大きくし、他方のＵ字型ＣＣＦＬ管の形状を小さくしている。形状と大きさを調整する方法は、通常のＵ字型ＣＣＦＬ管のガラス成形工程において、直管部分とＵ字部分を調整することにより容易にできる。
【００３１】
図２において、２１１は巻き線順序＋＋の横型分離構造タイプ（以下「＋＋２in 1タイプトランス」ともいう）であり、２１２は巻き線順序−−の２in 1タイプトランス（以下「−−２in 1タイプトランス」ともいう）である。２３４には１０００Ｖｍｓ、２３５にも１０００Ｖｍｓの電圧が得られるように前記横型分離構造タイプ（以下「２in 1タイプトランスを設置、配線する。２４１と２４２はグランド（ＧＮＤ）を意味する。
【００３２】
２８０はＵ字型ＣＣＦＬ管を２本設置する場合に内側に設置するもの（以下「内側
設置Ｕ字型ＣＣＦＬ管」ともいう）であり、２８７は内側設置Ｕ字型ＣＣＦＬ管のうちＵ字形状に曲げられた部位であり、２８６は内側設置Ｕ字型ＣＣＦＬ管のうち直線形状ではなく波型形状の部位であり、内側設置Ｕ字型ＣＣＦＬ管と外側設置Ｕ字型ＣＣＦＬ管の長さを等しくするために、２８６直線部分の軸方向の長さが短縮されている。
２８５はＣＣＦＬ管のアノードであり、２８８はＣＣＦＬ管のカソードである。
【００３３】
２７０はＵ字型ＣＣＦＬ管を２本設置する場合の前記外側に設置するもの（以下「外側設置Ｕ字型ＣＣＦＬ管」ともいう）である。２７７は外側設置Ｕ字型ＣＣＦＬ管のうちＵ字形状に曲げられた部位であり、２７６は下設置Ｕ字型ＣＣＦＬ管のうち直線形状の部位である。２７５はＣＣＦＬ管のアノードであり、２７８はＣＣＦＬ管のカソードである。
【００３４】
その結果、本発明の実施の形態２に係る液晶表示装置のバックライトユニットにおいては、実施の形態１に係る液晶表示装置のバックライトユニットにおいてはＵ字型ＣＣＦＬ管を重ねる必要があったのに対して、本発明の実施の形態２に係る液晶表示装置のバックライトユニットにおいては、２本のＵ字型ＣＣＦＬ管とトランスを同一平面上に設置できバックライトユニットの厚みをさらに薄くできる。
【００３５】
図５は本発明の実施の形態３に係る液晶表示装置のバックライトユニットに使用する専用のＣＣＦＬ管の形状を示す説明図である。
【００３６】
本発明の実施の形態３に係る液晶表示装置のバックライトユニットの特徴は、本発明の実施の形態３に係る液晶表示装置のバックライトユニットに適した専用の形状と大きさのＣＣＦＬ管を使用していることである。図５において内側と外側のＣＣＦＬ管の長さは同じである。
【００３７】
図６は本発明の実施の形態１乃至３のいずれかに係る液晶表示装置のバックライトユニットに使用する専用のＣＣＦＬ管の形状を示す説明図である。
【００３８】
本発明の実施の形態１乃至３にいずれにおいても、専用のＣＣＦＬ管を作成し、液晶表示装置のバックライトユニットに適した、図６の(a)乃至(f)の所定の形状と大きさのＣＣＦＬ管を使用することができる。図６に示されているようにＵ字型(a)、Ｃ字型(b)、リング型(d)、Ｌ字型(c)等が考えられる。また図６以外の大きさと形状でもよい。ただし、形状は異なっていても、すべてのＣＣＦＬ管の長さは同じである必要が在る。
【図面の簡単な説明】
【００３９】
【図１】実施の形態１に係るトランスとＵ字型ＣＣＦＬ管の接続の概要を示した概略図である。
【図２】実施の形態２に係るトランスとＵ字型ＣＣＦＬ管の接続の概要を示した概略図である。
【図３】従来のトランスとＵ字型ＣＣＦＬ管の接続の概要を示した概略図である。
【図４】従来のトランスと直管型ＣＣＦＬ管の接続の概要を示した概略図である。
【図５】実施の形態３に係る専用のＣＣＦＬ管の形状の概要を示した説明図である。
【図６】本発明の実施の形態１乃至３のいずれかに係る液晶表示装置のバックライトユニットに使用する専用のＣＣＦＬ管の形状を示す説明図である。
【符号の説明】
【００４０】
１１１      巻き線順序＋＋の横型分離構造タイプトランス（以下「＋＋２in 1タイプトランス」ともいう）
１１２      巻き線順序−−の２in 1タイプトランス（以下「−−２in 1タイプトランス」ともいう）
１２０      上下に湾曲させる位置の関係を示す説明用の線
１２１      上設置Ｕ字型ＣＣＦＬ管および下設置Ｕ字型ＣＣＦＬ管で上下に湾曲させる位置
１３４      １０００Ｖｍｓ電圧
１３５      １０００Ｖｍｓ電圧
１４１      グランド（ＧＮＤ）
１４２      グランド（ＧＮＤ）
１７０      Ｕ字型ＣＣＦＬ管を２本設置する場合の前記下側に設置するもの（以下「下設置Ｕ字型ＣＣＦＬ管」ともいう）
１７５      Ｕ字型ＣＣＦＬ管のアノード
１７６      下設置Ｕ字型ＣＣＦＬ管のうち直線形状の部位
１７７      下設置Ｕ字型ＣＣＦＬ管のうちＵ字形状に曲げられた部位
１７８      Ｕ字型ＣＣＦＬ管のカソード
１８０      Ｕ字型ＣＣＦＬ管を２本設置する場合の上側に設置するもの（以下「上設置Ｕ字型ＣＣＦＬ管」ともいう）
１８５      上設置Ｕ字型ＣＣＦＬ管のアノード
１８６      上設置Ｕ字型ＣＣＦＬ管のうち直線形状の部位
１８７      上設置Ｕ字型ＣＣＦＬ管のうちＵ字形状に曲げられた部位
１８８      上設置Ｕ字型ＣＣＦＬ管のカソード
【図１】
2010049922.tif 000003
【図２】
2010049922.tif 000004
【図３】
2010049922.tif 000005
【図４】
2010049922.tif 000006
【図５】
2010049922.tif 000007
【図６】
2010049922.tif 000008